(57)【特許請求の範囲】
【請求項１】
入力信号に対して所定の記録処理手段によつて記録処理を施した後、当該記録処理済の上記入力信号を記録媒体に記録すると共に、当該記録媒体に記録された上記入力信号を再生する信号記録再生装置において、
上記記録処理手段において記録処理中の上記入力信号を再生する第１の再生手段と、
上記記録媒体に記録された上記入力信号を再生する第２の再生手段と、
上記入力信号が上記記録処理手段又は上記記録媒体のいずれに格納されているかを探索する探索手段と、
上記探索手段の探索結果に基づいて上記第１の再生手段又は上記第２の再生手段を切り換えて上記入力信号を再生する切換手段と
を具えることを特徴とする信号記録再生装置。
【請求項２】
上記記録処理手段は、上記入力信号を符号化する符号化手段を具え、
上記第１の再生手段は、上記符号化手段によつて符号化される前の上記入力信号を上記符号化に要する時間分だけ遅延させて出力する遅延手段を具える
ことを特徴とする請求項１に記載の信号記録再生装置。
【請求項３】
上記信号記録再生装置は、
上記記録処理済の入力信号を一旦格納する記録バツフアと、
上記記録媒体から読み出された入力信号を一旦格納する再生バツフアと、
上記入力信号の上記記録媒体に対する記録処理及び再生処理を時分割で行う記録再生手段と
を具え、上記第１の再生手段は上記記録バツフアから上記入力信号を再生することを特徴とする請求項１に記載の信号記録再生装置。
【請求項４】
入力信号に対して所定の記録処理を施した後、当該記録処理済の上記入力信号を記録媒体に記録すると共に、当該記録媒体に記録された上記入力信号を再生する信号記録再生方法において、
上記入力信号が上記記録処理中又は上記記録媒体に記録済のいずれであるかを探索する探索ステツプと、
上記探索結果に基づいて、上記記録処理中又は上記記録媒体に記録済の上記入力信号を再生する再生ステツプと
を具えることを特徴とする信号記録再生方法。
【請求項５】
上記記録処理は、上記入力信号を符号化する符号化処理であり、
上記再生ステツプは、上記記録処理中の入力信号として、上記符号化処理によつて符号化される前の上記入力信号を上記符号化に要する時間分だけ遅延させて出力する
ことを特徴とする請求項４に記載の信号記録再生方法。
【請求項６】
上記信号記録再生方法は、
上記記録処理済の入力信号を記録バフツアに一旦格納すると共に上記記録媒体から読み出された上記入力信号を再生バツフアに一旦格納することにより、上記入力信号の上記記録媒体に対する記録処理及び再生処理を時分割で行い、
上記再生ステツプは、上記記録処理中の入力信号として上記記録バツフアから上記入力信号を再生する
ことを特徴とする請求項４に記載の信号記録再生方法。
【発明の詳細な説明】
【０００１】
【目次】
以下の順序で本発明を説明する。
【０００２】
発明の属する技術分野
従来の技術
発明が解決しようとする課題
課題を解決するための手段
発明の実施の形態（図１〜図８）
発明の効果
【０００３】
【発明の属する技術分野】
本発明は信号記録再生装置及び方法に関し、同時記録再生を行う信号記録再生装置及び方法に適用して好適なものである。
【０００４】
【従来の技術】
従来、記録媒体に対して例えば映像音声信号を記録すると共に、当該記録された映像音声信号を再生する信号記録再生装置においては、例えば１つの番組を記録媒体に記録完了した後、これを先頭位置から再生することにより記録済の映像音声信号を視聴し得るようになされている。
【０００５】
【発明が解決しようとする課題】
ところで、かかる映像音声等の情報を記録媒体に記録する際、当該記録中において記録中及び記録済の部分を任意に再生してこれを確認することができれば使い勝手が向上し得ると考えられる。
【０００６】
本発明は以上の点を考慮してなされたもので、入力信号の記録中において、入力信号のうち記録中及び記録済部分の再生を任意に行うことができる信号記録再生装置及び方法を提案しようとするものである。
【０００７】
【課題を解決するための手段】
かかる課題を解決するため本発明においては、入力信号が記録処理中又は記録媒体に記録済のいずれであるかを探索し、当該探索結果に基づいて、記録処理中又は記録媒体に記録済の入力信号を選択して再生することにより、入力信号をその処理過程に関わらず再生することができる。
【０００８】
【発明の実施の形態】
以下図面について、本発明の一実施の形態を詳述する。
【０００９】
図１において１０は全体として映像及び音声信号記録再生装置を示し、ユーザが操作部（図示せず）を操作することによつて記録動作を指定すると、当該記録命令は記録制御信号入力部４１を介し、記録制御信号ＣＯＮＴ４１としてシステムコントローラ４３に供給される。システムコントローラ４３は当該記録制御信号ＣＯＮＴ４１に基づいて制御信号ＣＯＮＴ４３を各処理部及び制御部に送出することにより、映像及び音声信号記録再生装置を記録動作させる。
【００１０】
このとき映像及び音声信号記録再生装置１０は外部から入力される映像音声信号Ｄ１０を記録系圧縮処理部１１に入力する。記録系圧縮処理部１１は、映像音声信号Ｄ１０のうち映像信号に対してＭＰＥＧ(Motion Picture Experts Group)規格に基づく帯域圧縮処理を施すと共に、音声信号に対してＭＰＥＧオーデイオやＡＣ−３といつた帯域圧縮処理を施し、この結果得られる圧縮映像音声データＤ１１を記録系バツフア１５Ａに入力する。
【００１１】
記録系バツフア１５Ａは、後述する再生系バツフア１５Ｂと共に統合バツフアメモリ部１５を構成し、必要に応じて記録系バツフア１５Ａ及び再生系バツフア１５Ｂの領域割り当てを変更し得るようになされている。
【００１２】
記録系バツフア１５Ａは、システムコントローラ４３から供給される制御信号ＣＯＮＴ４３に基づき、圧縮映像音声データＤ１１に含まれる映像データ及び音声データの時間調整を行いながら、これらを多重化することによりＭＰＥＧ規格で規定されたプログラムストリームやトランスポートストリームを生成し、これを記録バツフア出力データＤ１５として記録データ処理部１６に供給する。この場合、多重化されたストリームには、システムコントローラ４３から供給される時間情報及びストリーム情報等のヘツダ情報が付加される。
【００１３】
またこのとき、記録系バツフア１５Ａは、記録系圧縮処理部１１から供給される圧縮映像音声データＤ１１の供給量と、記録データ処理部１６に対して出力するストリームのデータ量との関係を制御することにより、蓄積データのオーバフロー及びアンダフローを回避する。
【００１４】
記録データ処理部１６は、記録系バツフア１５Ａから出力される圧縮映像音声データに対して記録フオーマツトに合わせたデータの並べ換え、エラー訂正符号の付加、ＥＦＭ(Eight to Fourteen Moduration)変調等の処理を施した後、これを記録データＤ１６として切換部２１を介して光デイスクドライブ２５に搭載された光デイスクＤＩＳＫに記録する。
【００１５】
光デイスクＤＩＳＫは、デイスク／ヘツド制御部２７から供給される制御信号ＣＯＮＴ２７によつてサーボ及びヘツドの移動等の制御が行われ、記録データＤ１６はシステムコントローラ４３の制御の下に映像フレーム（30フレーム／秒）ごとに割り当てられた所定のアドレス領域に記録される。このときシステムコントローラ４３は、記録データＤ１６の映像フレーム及びこれに対応した音声データごとにＴＯＣ(Table Of Cotents)情報を生成し、このＴＯＣ情報ＤTOC を記録データ処理部１６を介して光デイスクドライブ２５に送出することによりこれを光デイスクＤＩＳＫのＴＯＣ記録領域に記録する。従つて、システムコントローラ４３は光デイスクＤＩＳＫに記録されたＴＯＣ情報を読むことにより、当該光デイスクＤＩＳＫに記録された記録データＤ１６の記録アドレスや時間情報（タイムコード）等を認識することができる。
【００１６】
これに対して再生系は、ユーザが所定の操作部（図示せず）を操作することによつて再生動作を指定すると、当該再生命令は再生制御信号入力部４２を介し、再生制御信号ＣＯＮＴ４２としてシステムコントローラ４３に送出される。これによりシステムコントローラ４３は、まず光デイスクからＴＯＣ情報ＤTOC を読み出し、当該ＴＯＣ情報に基づいて光デイスクＤＩＳＫから記録済のデータ（記録データＤ１６）を順次フレーム単位で読み出し、これを再生データＤ２６として切換部２１を介して再生データ処理部３０に入力する。
【００１７】
再生データ処理部３０は、再生データＤ２６に対して所定の再生フオーマツトに従つてＥＦＭ復調、エラー訂正及びデータの並び換え等の処理を施した後、これを再生系処理データＤ３０として再生系バツフア１５Ｂに一旦格納する。
【００１８】
因みに、この実施の形態において光デイスクＤＩＳＫに対する記録データＤ１６の記録及び当該光デイスクＤＩＳＫからの再生データＤ２６の読み出しは時分割で並行して行われるようになされており、光デイスクドライブ２５は記録データＤ１６の記録位置及び再生データＤ２６の再生位置に対してヘツドを時分割で移動することにより、いわゆる同時記録再生を行う。
【００１９】
再生系バツフア１５Ｂは、記録系バツフア１５Ａと共に同一の統合バツフアメモリ部１５に統合されており、蓄積されている再生系処理データＤ３０のヘツダ情報（ストリーム情報、時間情報等）を解析することにより多重化されたデータを分離すると共に、時間情報を用いて映像及び音声の時間合わせを行い、これらを再生バツフア出力データＤ３１として所定のタイミングで読み出し、再生系伸張処理部３２に送出する。このとき再生系バツフア１５Ｂは、再生データ処理部３０から供給される再生系処理データＤ３０の供給量及び蓄積されている再生系処理データＤ３０の読み出し量の関係を制御することにより蓄積データのオーバフロー及びアンダフローを回避する。
【００２０】
再生系伸張処理部３２は、再生系バツフア１５Ｂから出力される再生バツフア出力データＤ３１のうちの映像データに対してＭＰＥＧ規格に基づいた帯域伸張処理を施すと共に、音声データに対してＭＰＥＧオーデイオやＡＣ−３といつた規格に基づく帯域伸張を施し、この結果得られる再生映像音声信号Ｄ３２を再生信号切換え部３３に送出する。
【００２１】
再生信号切換え部３３は、システムコントローラ４３の制御に基づいて再生映像音声信号Ｄ３２を選択すると、これを出力映像音声信号Ｄ１００として外部に出力する。因みに、再生信号切換え部３３にはＯＳＤ(On Screen Display) 回路部が設けられており、出力映像音声信号Ｄ１００に対して種々の表示キヤラクタ等を合成して表示することができる。
【００２２】
かくして、映像及び音声信号記録再生装置１０は、記録系バツフア１５Ａ及び再生系バツフア１５Ｂを設け、記録系において記録系バツフア１５Ａから読み出された記録バツフア出力データＤ１５を光デイスクＤＩＳＫに記録する記録処理と、再生系において光デイスクＤＩＳＫに記録されているデータを再生データＤ２６として読み出して再生系バツフア１５Ｂに格納する再生処理とをそれぞれ時分割で並行処理することにより、記録系に連続して入力される映像音声信号Ｄ１０を光デイスクＤＩＳＫに記録する処理と、再生系から再生映像音声信号Ｄ３２を連続して再生出力する処理とを同時に行うことができる。
【００２３】
この同時記録再生処理における記録系バツフア１５Ａ及び再生系バツフア１５Ｂのデータ量の推移を図２に示す。この図２において、記録系バツフア１５Ａのデータ量ＭREC （図２（Ａ））は、記録バツフア出力データＤ１５が光デイスクＤＩＳＫに記録されている間において減少し、当該記録動作が中断してヘツドが再生位置に移動開始すると、連続して入力される圧縮映像音声データＤ１１によつて増加し始める。そして、再びヘツドが記録位置に戻つて記録動作を開始すると、当該記録動作に応じて記録系バツフア１５Ａのデータ量ＭREC は減少し始める。
【００２４】
これに対して再生系バツフア１５Ｂのデータ量ＭPB（図２（Ｂ））は、記録バツフア出力データＤ１５が光デイスクＤＩＳＫに記録されている間において光デイスクＤＩＳＫからの読み出しが中断していることにより、当該再生バツフア１５Ｂに格納されている再生バツフア出力データＤ３１が連続して出力される分だけ減少して行く。そして記録動作が中断してヘツドが再生位置に移動すると同時に再生動作が開始され、これに応じて再生系バツフア１５Ｂのデータ量ＭPBも増加を開始する。
【００２５】
かかる同時記録再生処理において、ユーザは再生速度を任意に設定することができる。すなわち、図１との対応部分に同一符号を付して示す図３において、光デイスクＤＩＳＫ上の記録領域ＢＬＫに記録データＤ１６を記録する場合について説明する。記録位置Ｐ１１まで記録データＤ１６の記録が完了している状態において、当該記録データＤ１６が既に記録された記録済領域ＢＬＫREC を記録動作に対して時分割で再生することにより、記録に追従した再生動作が行われる。
【００２６】
このとき、ユーザが操作部（図示せず）を操作して任意の再生速度を設定すると、システムコントローラ４３は当該設定速度に応じてデイスク／ヘツド制御部２７を制御することにより、当該デイスク／ヘツド制御部２７はユーザの設定に応じた可変速再生を行う。例えば、ユーザによつて記録速度ＶREC よりも大きな再生速度ＶPBが設定されると、第１のタイミングにおける記録位置Ｐ１１及び再生位置Ｐ１に対して第２のタイミングにおける記録位置Ｐ１２及び再生位置Ｐ２の関係は再生位置Ｐ２が記録位置Ｐ１２に近づくことになる。
【００２７】
このようにして、各タイミングにおける記録位置Ｐ１１、Ｐ１２、Ｐ１３、Ｐ１４、Ｐ１５に対して、同様の各タイミングにおける再生位置Ｐ１、Ｐ２、Ｐ３、Ｐ４、Ｐ５は記録速度ＶREC 及び再生速度ＶPBの差によつて徐々に記録位置に近づいて行くことになる。かくして光デイスクドライブ２５のヘツドは、記録位置及び再生位置を交互に移動しながら再生位置を記録位置に近づけて行く。
【００２８】
ここで映像及び音声信号記録再生装置１０による記録処理においては、当該映像及び音声信号記録再生装置１０に入力された映像音声信号Ｄ１０が、記録系圧縮処理部１１及び記録系バツフア１５Ａにおける処理によつて所定の遅延時間だけ遅延したタイミングで光デイスクＤＩＳＫに記録される。
【００２９】
従つて、映像及び音声信号記録再生装置１０に入力された映像音声信号Ｄ１０が記録系圧縮処理部１１及び記録系バツフア１５Ａによつて処理されている間においては、当該映像音声信号Ｄ１０は未だ光デイスクＤＩＳＫには記録されておらず、この間（すなわち映像音声信号Ｄ１０が光デイスクＤＩＳＫに記録されるまでの間）に当該映像音声信号Ｄ１０を再生データとして出力する場合、システムコントローラ４３は光デイスクＤＩＳＫに記録される前の映像音声信号を直接再生系にバイパスして出力するようになされている。
【００３０】
すなわち、この実施の形態の場合、記録系圧縮処理部１１での処理時間は、約１秒であると共に記録系バツフア１５Ａでの処理時間は約１９秒であり、光デイスクＤＩＳＫ上に記録される記録データＤ１６は、これらの時間を合計した記録系処理時間である２０秒前に当該映像及び音声信号記録再生装置１０に入力された映像音声信号Ｄ１０となる。
【００３１】
従つて、同時記録再生処理においてユーザが再生速度ＶPBを記録速度ＶREC よりも大きく設定することにより光デイスクＤＩＳＫ上での再生位置が記録位置に近づいてこれらが一致するとき、当該再生位置において再生される映像音声信号は２０秒前に当該映像及び音声信号記録再生装置１０に入力された信号となる。
【００３２】
このように記録に追従した再生を行う場合、光デイスクＤＩＳＫ上に記録されたデータを再生することによつて得られる再生映像及び音声は２０秒前に入力された信号までであり、当該２０秒前から現時点までの間に映像及び音声信号記録再生装置１０に入力された映像及び音声信号Ｄ１０を再生する場合、システムコントローラ４３は光デイスクＤＩＳＫに記録される前の記録処理中のデータを再生する。
【００３３】
すなわち、図１において映像及び音声信号記録再生装置１０は、記録系圧縮処理部１１での処理時間（１秒）だけ映像及び音声信号Ｄ１０を保持する圧縮遅延補正バツフア１２によつて、記録系圧縮処理部１１において処理中の映像及び音声信号Ｄ１０、又は入力された映像及び音声信号Ｄ１０をそのまま遅延なく再生系の再生信号切換え部３３に出力し得るバイパス系を有し、システムコントローラ４３の制御によつて再生信号切換え部３３を切り換えることにより、映像及び音声信号記録再生装置１０に対して入力された映像及び音声信号Ｄ１０が光デイスクＤＩＳＫに記録されるまでの間（記録系処理時間）に、これを再生出力として得ることができる。
【００３４】
すなわち、図１との対応部分に同一符号を付して示す図４は、映像及び音声信号記録再生装置１０の各構成部のうち、特に同時記録再生処理を行う回路部を示すものであり、システムコントローラ４３の制御部４３Ａは記録制御信号ＣＯＮＴ４１に基づいて映像音声信号Ｄ１０を記録系圧縮処理部１１及び記録系バツフア１５Ａを介して光デイスクＤＩＳＫに記録する際、映像音声信号Ｄ１０に対してフレーム単位で固有のタイムコード（時間情報）を順次割り当てる。このタイムコードは、例えば、記録しようとする映像音声信号Ｄ１０が映像及び音声信号記録再生装置１０の記録系１０REC に入力された時刻が割り当てられる。
【００３５】
タイムコードが割り当てられた各フレームの映像音声信号Ｄ１０は、先ず記録系圧縮処理部１１に入力され、圧縮処理される。この圧縮処理に要する時間（圧縮処理時間）は、この実施の形態の場合約１秒であり、当該１秒間において記録系圧縮処理部１１において処理される映像音声信号Ｄ１０は圧縮遅延補正バツフア１２において圧縮処理される前の状態のまま保持される。このとき当該圧縮遅延補正バツフア１２における各フレームの記録位置（バツフアアドレス）情報は、各フレームに割り当てられたタイムコードと共にタイムコードバツフア４５に書き込まれる。
【００３６】
すなわち図５に示すように、タイムコードバツフア４５は毎フレームごとに更新されるものであり、タイムコード（RECORD TIME)、現在格納されているバツフア(AREA)及び格納されているバツフアにおけるアドレス(BUFFER ADDRESS)が記録処理中の各フレームごとにアロケーシヨンテーブルとして書き込まれるようになされている。
【００３７】
従つて記録系圧縮処理部１１に対応した圧縮遅延補正バツフア１２に保持されているフレームについて、例えば「１２時００分１３秒７フレーム」のタイムコードが割り当てられたフレームが圧縮遅延補正バツフア(DLY Cor) の「0x001234」で表されるバツフアアドレスに格納されている状態がタイムコードバツフア４５においてテーブルデータとして書き込まれる。
【００３８】
また、記録系圧縮処理部１１に続いて記録系バツフア１５Ａに格納された映像及び音声データ（記録データＤ１６）の各フレームについては、当該記録系バツフア１５Ａに格納されている間（すなわち記録系圧縮処理部１１から出力された後、光デイスクＤＩＳＫに記録されるまでの間）において、タイムコードバツフア４５にテーブル化される。この場合、例えば「１２時００分１３秒４フレーム」のタイムコードが割り当てられたフレームが記録系バツフア(RecBUF)の「0x004345」で表されるバツフアアドレスに格納されている状態を表している。
【００３９】
かくしてタイムコードバツフア４５には、記録系圧縮処理部１１において処理されているフレーム及び記録系バツフア１５Ａに格納されているフレームがそのアドレスと共にリアルタイムでテーブル化され、記録／再生時間差検出部５０はタイムコードバツフア４５を参照することにより、記録処理中の各フレームの各格納場所を検出することができる。
【００４０】
これに対して、光デイスクＤＩＳＫに記録済のフレームについては、当該フレームの映像及び音声データが光デイスクＤＩＳＫに記録される際に、図１について上述したフレームごとのＴＯＣ情報として、当該フレームのタイムコード及び光デイスク上でのアドレスが光デイスクＤＩＳＫのＴＯＣ情報記録領域に記録される。
【００４１】
このＴＯＣ情報は、図６に示すようなアロケーシヨンテーブルを構成し、例えばタイムコードとして「１２時００分１３秒３フレーム」が割り当てられたフレームが光デイスクＤＩＳＫのアドレス「0x00001234」に書き込まれていることを表す。
【００４２】
従つて記録／再生時間差検出部５０は光デイスクＤＩＳＫからＴＯＣ情報ＤTOC （図１）を読み出すことにより光デイスク上のアロケーシヨンテーブルＴＢ（図６）を参照し得、当該アロケーシヨンテーブルＴＢを参照することにより、光デイスクＤＩＳＫに記録済の各フレームの当該光デイスクＤＩＳＫ上での各格納位置を検出することができる。
【００４３】
かくして同時記録再生を行う際に、システムコントローラ４３の制御部４３Ａはユーザの指示に従つて任意のタイムコードを再生開始位置として設定すると共に任意の再生速度及び再生方向にユーザの指示に従つて設定し、これを再生パラメータＣＯＮＴPBとして記録／再生時間差検出部５０に供給する。これにより記録／再生時間差検出部５０は再生パラメータＣＯＮＴPBに応じて再生を開始する。
【００４４】
このとき記録／再生時間差検出部５０は、ユーザによつて指定された再生開始位置に相当する映像及び音声データの光デイスクＤＩＳＫ上での記録位置（アドレス）を、光デイスクＤＩＳＫから読み出されたＴＯＣ情報（アロケーシヨンテーブルＴＢ）を参照することにより検出し、当該検出された記録位置からフレームごとに映像及び音声データ（記録データＤ１６）を読み出し、これを再生データＤ２６として再生開始する。
【００４５】
このとき当該再生動作は記録動作に対して時分割で並行して行われる。かかる同時記録再生処理において、制御部４３Ａは、このとき映像及び音声信号記録再生装置１０の記録系１０REC に入力される記録データとしての映像音声信号Ｄ１０に対して、当該記録系１０REC に入力された時点の時刻をタイムコードとして割り当て、当該タイムコードが割り当てられた映像音声信号Ｄ１０を記録系１０REC において記録処理する。このとき映像音声信号Ｄ１０に対して割り当てられたタイムコードは、記録用パラメータＣＯＮＴREC として記録／再生時間差検出部５０に供給される。
【００４６】
記録／再生時間差検出部５０は、再生パラメータＣＯＮＴPB及び記録パラメータＣＯＮＴREC に基づいて、映像及び音声データの再生すべきフレームが格納されている場所を検出し、当該検出結果に基づいて映像及び音声データを読み出す再生処理を実行する。
【００４７】
すなわち図７は記録／再生時間差検出部５０による再生処理手順を示し、ステツプＳＰ１においてユーザが設定した再生位置からの再生開始が指定されると、記録／再生時間差検出部５０はステツプＳＰ２に移つて再生パラメータＣＯＮＴPBとして入力される再生速度及び再生方向を入力し、続くステツプＳＰ３において、再生速度及び方向から再生フレームのタイムコードを算出する。
【００４８】
例えば、図３について上述した記録位置Ｐ１１及び再生位置Ｐ１の状態において、同時記録再生が開始されると、記録／再生時間差検出部５０はこのときの再生位置Ｐ１及び再生速度ＶPB並びに再生方向に基づいて順次再生するフレームのタイムコードを算出する。
【００４９】
そして記録／再生時間差検出部５０は続くステツプＳＰ４に移り、ステツプＳＰ３において算出されたタイムコードが割り当てられた映像及び音声のフレームの格納場所を図４〜図６について上述したアロケーシヨンテーブル（タイムコードバツフア４５及び光デイスク上のタイムコードテーブルＴＢ）内から探索する。
【００５０】
ここで、再生しようとするフレームのタイムコードとして、記録系１０REC に現在入力されている映像音声信号Ｄ１０よりも記録系処理時間（２０秒）だけ逆上つたタイムコードを有するフレームは、光デイスクＤＩＳＫ上に既に記録されており、このフレーム情報（タイムコード及び光デイスク上のアドレス）は光デイスクＤＩＳＫのタイムコードテーブルＴＢに記録されている。従つてこのとき記録／再生時間差検出部５０はステツプＳＰ５において肯定結果を得ることにより、ステツプＳＰ９に移り、光デイスクＤＩＳＫからの読み出しコマンドを再生系１０PBに発行すると共に再生信号切換え部３３を切り換えて再生映像音声信号Ｄ３２を出力映像音声信号Ｄ１００として出力するように制御する。これにより光デイスクＤＩＳＫから対応するフレームが再生される。
【００５１】
これに対して再生しようとするフレームのタイムコードとして、記録系１０REC に現在入力されている映像及び音声信号Ｄ１０に割り当てられたタイムコードに対して記録系処理時間（２０秒）よりも短い時間（０秒〜２０秒）だけ逆上つたタイムコードを有するフレームは、圧縮遅延補正バツフア１２又は記録系バツフア１５Ａに格納されており、このフレーム情報（タイムコード及びメモリ上のアドレス）はタイムコードバツフア４５に格納されている。
【００５２】
従つてこのとき記録／再生時間差検出部５０はステツプＳＰ５において否定結果を得ることにより、続くステツプＳＰ６に移る。ステツプＳＰ６において記録／再生時間差検出部５０は、タイムコードバツフア４５を参照し、再生しようとするフレームが記録系バツフア１５Ａに格納されているか否かを判断する。ここで肯定結果が得られると、このことは再生しようとするフレームが記録系バツフア１５Ａに格納されていることを表しており、このとき記録／再生時間差検出部５０はステツプＳＰ８に移つて、タイムコードバツフア４５から読み出されたアドレス情報及び読み出しコマンドＡＤ１（図４）を記録系バツフア１５Ａに送出することにより、当該フレームの映像及び音声データを記録系バツフア１５Ａから読み出して再生系１０PBにおいて再生処理すると共に、当該再生処理された記録系バツフア１５Ａからの再生映像音声信号Ｄ３２を再生信号切換え部３３を介して出力する。
【００５３】
これに対してステツプＳＰ６において否定結果が得られると、このことは再生しようとするフレームが圧縮遅延補正バツフア１２に格納されていることを表しており、このとき記録／再生時間差検出部５０はステツプＳＰ７に移つて、タイムコードバツフア４５から読み出されたアドレス情報及び読み出しコマンドＡＤ２（図４）を圧縮遅延補正バツフア１２に送出することにより、当該フレームの映像及び音声データを圧縮遅延補正バツフア１２から読み出して再生信号切換え部３３を介して出力する。
【００５４】
かくして記録／再生時間差検出部５０は、ステツプＳＰ７、ステツプＳＰ８又はステツプＳＰ９の処理が終了すると、ステツプＳＰ１０において再生停止要求が発行されているか否かを判断し、肯定結果が得られるまで上述のステツプＳＰ２〜ステツプＳＰ９の処理を繰り返すと共に、ユーザによる再生停止要求が入力されたとき、ステツプＳＰ１１において当該再生処理手順を終了する。
【００５５】
以上の構成において、図８に示すように、時点ｔ０において映像及び音声信号記録再生装置１０の記録系１０REC に入力された映像及び音声信号Ｄ１０は、時点ｔ１までの期間Ｔ１（この実施の形態の場合約１秒）において記録系圧縮処理部１１での圧縮処理が施される。この間において当該圧縮処理される映像音声信号Ｄ１０と同様の信号は、記録系圧縮処理部１１に並列に設けられた圧縮遅延補正バツフア１２にも入力されており、当該圧縮遅延補正バツフア１２において圧縮されないまま保持される。
【００５６】
従つて、記録系圧縮処理部１１において圧縮処理されている映像及び音声信号Ｄ１０をアクセスする場合、圧縮遅延補正バツフア１２をアクセスすれば、圧縮される前の同様の映像音声信号Ｄ１０を再生することができる。
【００５７】
また時点ｔ１を過ぎると、記録系圧縮処理部１１において圧縮処理された映像音声信号Ｄ１０は記録系バフツア１５Ａに格納され、光デイスクＤＩＳＫに書き込まれる処理を待ち受ける。この記録系バツフア１５Ａでの格納時間は時点ｔ１から時点ｔ２までの期間Ｔ２（この実施の形態の場合約１９秒）である。
【００５８】
従つてこの期間Ｔ２において映像及び音声信号Ｄ１０をアクセスする場合、記録系バツフア１５Ａをアクセスすることによりこれを再生し得る。
【００５９】
また時点ｔ２を過ぎると、記録系バツフア１５Ａに格納されていた圧縮済の映像音声信号Ｄ１０は光デイスクＤＩＳＫに記録される。従つて当該期間Ｔ３において映像音声信号Ｄ１０をアクセスする場合、光デイスクＤＩＳＫをアクセスすることにより、これを再生し得る。
【００６０】
このように、記録系１０REC に入力された映像音声信号Ｄ１０は、所定の時間（期間Ｔ１及びＴ２）を要して光デイスクＤＩＳＫ上に記録される。従つて、記録に追従した同時再生を行う場合、記録系１０REC に入力後記録処理時間（Ｔ１＋Ｔ３）以上経過した映像音声信号のフレームについては、光デイスクＤＩＳＫをアクセスすることによりこれを再生し得る。これに対して、例えば記録速度よりも再生速度が高い場合には、再生しようとするフレームのタイムコードが記録処理中のフレームのタイムコードに近づいて行くことになり、当該再生しようとするフレームのタイムコードが記録処理期間（Ｔ１＋Ｔ３）以内に入ると、光デイスクＤＩＳＫをアクセスしても再生しようとするフレームは未記録の状態であり当該光デイスクＤＩＳＫから読み出すことが困難となる。
【００６１】
従つて、この場合には再生しようとするフレームのタイムコードに応じて圧縮遅延補正バツフア１２又は記録系バツフア１５Ａのいずれかをアクセスすることにより、再生しようとするフレームの映像音声信号は確実に再生される。
【００６２】
因みにアクセスすべき領域は、期間Ｔ１及びＴ２においてはタイムコードバツフア４５にテーブル化され、また期間Ｔ３においては光デイスクＤＩＳＫ上のテーブルＴＢに記述される。従つて、これらのアロケーシヨンテーブルを参照することにより、再生しようとするフレームの格納場所を容易に検出することができる。
【００６３】
かくして、映像及び音声信号Ｄ１０を記録中において、既に記録された部分を高速再生する場合、記録開始位置から現在記録中の映像及び音声まで、すべての映像及び音声を途切れることなく連続的に再生し得る。
【００６４】
以上の構成によれば、同時記録再生時の記録及び再生の時間差を０からリニアに可変できることにより、ユーザは記録中において既に記録済の部分を任意に再生して視聴することができ、この分使い勝手を向上し得る。
【００６５】
なお上述の実施の形態においては、記録系圧縮処理部１１における処理時間が約１秒であると共に、記録系バツフア１５Ａでの格納時間が約１９秒である場合について述べたが、本発明はこれに限らず、他の種々の時間のものを用いることができ、この場合には、タイムコードバツフア４５及び光デイスクＤＩＳＫ上記のテーブルＴＢへのフレーム情報の書込み時間を各バツフア（圧縮遅延補正バツフア１２及び記録系バツフア１５Ａ）の処理時間に対応して設定すれば良い。
【００６６】
また上述の実施の形態においては、光デイスクＤＩＳＫ上に記録済の映像及び音声信号のフレーム情報を当該光デイスクＤＩＳＫ上にＴＯＣ情報としてテーブル化する場合について述べたが、本発明はこれに限らず、メモリ又は他の記録媒体に記録して管理するようにしても良い。
【００６７】
また上述の実施の形態においては、記録媒体として光デイスクＤＩＳＫを用いる場合について述べたが、本発明はこれに限らず、例えば光磁気デイスク等他の種々の記録媒体を用いることができる。
【００６８】
また上述の実施の形態においては、映像及び音声信号を記録媒体に対して記録再生する場合について述べたが、本発明はこれに限らず、種々の情報を記録再生する場合に広く適用することができる。
【００６９】
また上述の実施の形態においては、１つのヘツドを用いてデータの記録及び再生を時分割で行う場合について述べたが、本発明はこれにかぎらず、記録専用のヘツド及び再生専用のヘツドを用いて記録再生を行う場合においても本発明を適用し得る。
【００７０】
【発明の効果】
上述のように本発明によれば、入力信号が記録処理中又は記録媒体に記録済のいずれであるかを探索し、当該探索結果に基づいて、記録処理中又は記録媒体に記録済の入力信号を選択して再生することにより、入力信号をその処理過程に関わらず再生することができる。
【図面の簡単な説明】
【図１】本発明による映像音声信号記録再生装置の全体構成を示すブロツク図である。
【図２】記録系バフツア及び再生系バツフアのデータ量の推移を示す特性曲線図である。
【図３】同時記録再生処理の説明に供する略線図である。
【図４】本発明による同時記録再生処理部の詳細構成を示すブロツク図である。
【図５】タイムコードバツフア内のアロケーシヨンテーブルを示す略線図である。
【図６】記録媒体上のアロケーシヨンテーブルを示す略線図である。
【図７】本発明による再生処理手順を示すフローチヤートである。
【図８】動作の説明に供するタイムチヤートである。
【符号の説明】
１０……映像及び音声信号記録再生装置、１０REC ……記録系、１０PB……再生系、１１……記録系圧縮処理部、１２……圧縮遅延補正バツフア、１５……統合バツフアメモリ部、１５Ａ……記録系バツフア、１５Ｂ……再生系バツフア、２５……光デイスクドライブ、３２……再生系伸張処理部、３３……再生信号切換え部、４３……システムコントローラ、４５……タイムコードバツフア、５０……記録／再生時間差検出部。
【図１】
0003922491.tif 000002
【図２】
0003922491.tif 000003
【図３】
0003922491.tif 000004
【図４】
0003922491.tif 000005
【図５】
0003922491.tif 000006
【図６】
0003922491.tif 000007
【図７】
0003922491.tif 000008
【図８】
0003922491.tif 000009